(57)【特許請求の範囲】
【請求項１】
撮像手段を備えた撮像装置において、
該撮像手段の出力から得た複数種の色信号の振幅成分をクリップするクリップ回路と、
前記クリップ回路の出力を用いて、前記撮像手段の出力から得た信号のホワイトバランスを制御するホワイトバランス制御手段と、
前記撮像装置にて測定される外光の明るさに応じて前記クリップ回路のクリップ範囲を変更するクリップ変更手段と、
を具えることを特徴とする撮像装置。
【請求項２】
前記変更手段は、外光の明るさを測定する測光手段から出力される測光信号のレベルの大小に応じて前記クリップ範囲の変更を行うことを特徴とする請求項１の撮像装置。
【請求項３】
前記変更手段は更に測光信号のレベルの変動の大小に応じて前記クリップ範囲の変更を行うことを特徴とする請求項２の撮像装置。
【請求項４】
前記変更手段は、外光の明るさが所定のレベルより明るければ、前記クリップ回路のクリップ範囲を高色温度対応のクリップ範囲に変更することを特徴とする請求項１記載の撮像装置。
【請求項５】
前記変更手段は、外光の明るさが所定のレベルより暗ければ、前記クリップ回路のクリップ範囲を低色温度対応のクリップ範囲に変更することを特徴とする請求項１記載の撮像装置。
【発明の詳細な説明】
【０００１】
【産業上の利用分野】
本発明は、撮像装置に関し、特に撮像手段の出力から得た信号のホワイトバランスを制御するホワイトバランス制御手段を有する撮像装置に関する。
【０００２】
【従来の技術】
近年、ムービー用ビデオカメラや、電子スチルカメラなどの撮像装置におけるホワイトバランス制御には、撮像素子の出力を用いて自動的に撮影されたビデオ信号のホワイトバランスを良好に保つ手法、即ちＴＴＬ自動追尾式のホワイトバランス制御が行われる様になってきた。
【０００３】
この手法を用いたホワイトバランス制御の一例についてその概略を以下説明する。一般に、上述の如き撮像装置においては撮像素子から得られた信号は、周知の色分離回路やプロセス回路を介して、Ｙ（輝度）信号，Ｒ（赤）−Ｙ信号，Ｂ（青）−Ｙ信号に変換される。また、一般にこの過程でＲ信号，Ｂ信号もしくはＲ−Ｙ信号，Ｂ−Ｙ信号などには可変利得アンプが設けられている。
【０００４】
一方、Ｙ，Ｒ−Ｙ，Ｂ−Ｙ信号は夫々積分などの処理により１フィールド以上の期間に亙って平均化され、これら平均化された信号を用いてＲ，Ｇ，Ｂ各信号を導出する。そして、これらの３原色信号を用いてこの３原色信号の比が１：１：１となる様に上記可変利得アンプを制御する制御信号を導出する。
【０００５】
これによって、特に測色センサなどを用いることなく、自動的にホワイトバランス制御を行うことが可能となった。
【０００６】
他方、上述の如き手法においては撮像素子の出力を用いてホワイトバランス制御を行うので撮像画枠内に大面積を占める高彩度の被写体が存在する場合には、その被写体の影響を受け、良好なホワイトバランス調整が行えないという問題がある。
【０００７】
そこで、上述した平均化処理の前段にクリップ回路を設け、高彩度の被写体の影響を軽減する処理を行わうことが知られている。
【０００８】
【発明が解決しようとする課題】
このようなクリップ回路を用いる場合、図８（１）に示される様に高レベル側▲１▼と、低レベル側▲２▼とが均等にクリップされる場合には所要の効果が得られるものと考えられるが、光源の色や色温度の変化などにより、図８（２）に示す様に高レベル側▲１▼のみがクリップされ、低レベル側▲２▼がクリップされない場合には、ホワイトバランス調整がこの低レベル側の信号の影響を受けてしまう。勿論、低レベル側▲２▼のみがクリップされる場合も同様である。
【０００９】
具体的には、徐々に適正なホワイトバランス状態とする様上記平均化回路の時定数を長めに設定するムービーカメラにおいては、適正なホワイトバランス状態にするまでの時間が長くなってしまう。また、電子スチルカメラの様に短時間で適正なホワイトバランス状態とする必要がある場合においては、ホワイトバランスが適正でない状態で撮影が行われてしまうといった問題となる。
【００１０】
また、上記高彩度の被写体の影響によるホワイトバランスのずれは、一般に黒体放射光の色温度変換に対応した色ずれが発生する場合、即ち赤みが強くなったり、青みが強くなったりする場合にはあまり気にならないが、色温度変化に対応しない色ずれ、即ち緑色化、紫色化が発生する場合には視覚的に大変目障りなものである。
【００１１】
そこで、単にホワイトバランス調整時の色補正の方向を概略色温度変化に対応した方向にのみに限定することで、上述の如き目障りなホワイトバランスずれを解消することが可能であるが、この場合には蛍光灯などの様に黒体放射光に対し緑がかった色の光源下での撮影時においてはホワイトバランス制御が行えなくなってしまう。
【００１２】
斯かる背景下において、本発明は光源の色や色温度の変化に係らず、撮像画枠内に大面積を占める高彩度の被写体の影響を受けず、良好なホワイトバランス制御が行える撮像装置を提供することを目的とする。
【００１４】
【課題を解決するための手段】
斯かる目的下において、本発明にあっては、撮像手段を備えた撮像装置において、該撮像手段の出力から得た複数種の色信号の振幅成分をクリップするクリップ回路と、前記クリップ回路の出力を用いて、前記撮像手段の出力から得た信号のホワイトバランスを制御するホワイトバランス制御手段と、前記撮像装置にて測定される外光の明るさに応じて前記クリップ回路のクリップ範囲を変更するクリップ変更手段と、を具えることを特徴とする撮像装置を提示する。
【００１７】
【作用】
上述の如く、撮像装置にて測定される外光の明るさに応じてクリップ回路のクリップ範囲を変更することにより、外光の明るさにより色温度の変化に従ったクリップ範囲の変更ができ、複数種の色温度に対応して色信号を適正にクリップすることができるので、色温度にかかわらず高彩度の被写体の影響を受けないホワイトバランス制御が可能となる。
【００２０】
【実施例】
以下、本発明の一実施例について詳細に説明する。
【００２１】
（第１の実施例）
図１は本発明の第１の実施例としての撮像装置の概略構成を示すブロック図である。
【００２２】
図１において、１は被写体からの反射光を結像し、光量を制限する光学系、３はこの光学系１を介した被写体像を電気信号に変換する撮像素子、５は撮像素子３の出力からＲ，Ｇ，Ｂ各信号を抽出する周知の色分離回路、７，９はＲ信号，Ｂ信号を夫々増幅するＲアンプ，Ｂアンプ、１１はＲアンプ，Ｂアンプから出力されるＲ信号（Ｒ’），Ｂ信号（Ｂ’）更にはＧ信号が入力され、Ｙ信号，（Ｒ−Ｙ）信号，（Ｂ−Ｙ）信号を導出するプロセス回路である。
【００２３】
１３はプロセス回路１１からのＹ，Ｒ−Ｙ，Ｂ−Ｙ各信号の高レベル及び低レベル部分を夫々クリップするピーク−ピーク（Ｐ−Ｐ）クリップ回路、１５はクリップ回路１３の出力する３信号を夫々積分する積分回路、１７は積分回路１５の出力する３信号をアナログ−デジタル（Ａ／Ｄ）変換して３つのデジタル値ＹD ，（Ｒ−Ｙ）D ，（Ｂ−Ｙ）D を夫々出力するＡ／Ｄ変換器、１９はこれらのデジタル値ＹD ，（Ｒ−Ｙ）D ，（Ｂ−Ｙ）D が接続されるマイクロプロセッシングユニット（ＭＰＵ）である。
【００２４】
２１は被写体の明るさを測定する測光センサ、２３は測光センサ２１の出力をＡ／Ｄ変換するＡ／Ｄ変換器、２５は  ＭＰＵ１９より出力されるデジタル制御値ＲCD及びＢCDを夫々デジタル−アナログ（Ｄ／Ａ）変換するＤ／Ａ変換器であり、このＤ／Ａ変換器２５の出力で上記Ｒアンプ７，Ｂアンプ９の利得が制御される。また、ＰＳＷはこの撮像装置の電源スイッチ、３１，３３，３５は夫々出力端子である。
【００２５】
図２は本実施例のＭＰＵ１９の動作を説明するためのフローチャートであり、以下この図２を用いて本実施例の動作を説明する。
【００２６】
電源スイッチＰＳＷがオンされると（ステップＳ１）、装置各部に電源が供給される。ここで、光学系１により被写体反射光はその光量を制御、制限されて撮像素子３の撮像面上に結像され、この撮像素子３から読み出された電気信号は、素子３のフィルタ配列に従い色分離回路５にて処理され、Ｒ，Ｇ，Ｂの各信号を得る。これらの信号中、Ｒ信号，Ｂ信号は夫々Ｒアンプ７，Ｂアンプ９にて夫々後述の制御信号ＲC ，ＢC によって定められた利得により増幅される。このＲアンプ７，Ｂアンプ９の出力信号Ｒ’，Ｂ’は、Ｇ信号と共にプロセス回路１１に入力される。
【００２７】
プロセス回路１１からは、Ｒ’，Ｂ’，Ｇの各信号を用いて、Ｙ，（Ｒ−Ｙ），（Ｂ−Ｙ）信号を夫々出力する。このプロセス回路１１の主力する３信号は出力端子３１，３３，３５から夫々外部や記録再生部に供給されることになる。
【００２８】
また、この３信号は夫々クリップ回路１３、積分回路１５、Ａ／Ｄ変換器１７を介してデジタル値ＹD ，（Ｒ−Ｙ）D ，（Ｂ−Ｙ）D とされ、ＭＰＵ１９に接続される。
【００２９】
一方、測光センサ２１の出力もＡ／Ｄ変換器２３を介してデジタル値ＬD とされ、ＭＰＵ１９に接続される。
【００３０】
ＭＰＵ１９は電源スイッチＰＳＷがオンされると、内部メモリに初期値としてＬ0 ，ａ，ｂ，ｃ，ｄを読み込み記憶させる。ここで、Ｌ0 はある明るさの被写体に対する測光センサ２１からの信号をデジタル化した際の値であり、その被写体の設定は最も明るい屋内光に対応した値とする。また。ａ，ｂ，ｃ，ｄはホワイトバランス制御電圧導出時の演算式に用いる値で、予め最適な値を設定しておく。
【００３１】
そして、ステップＳ３において測光出力であるデジタル値ＬD を読み込み、ステップＳ４においてＬ0 とＬD を比較する。ここで、ＬD ＞Ｌ0 であればステップＳ５に移行し、Ｐ−Ｐクリップ回路１３のクリップ範囲を高色温度対応とする。具体的には図３（１）に示す様にＲ−Ｙ信号については（イ）に示す様に高レベル部（図中斜線で示す）のみがクリップされることにならない様にクリップ範囲を高レベル側にシフトする。これによって、同図（１）の（ロ）に示す様にクリップ範囲を高レベル側と低レベル側でほぼ均等にクリップされることになる。また、同様にＢ−Ｙ信号については図３（２）の（イ）に示す様に低レベル部（斜線部）のみがクリップされることがない様に、同図（２）の（ロ）に示す様にクリップ範囲を低レベル側にシフトする。
【００３２】
この様にクリップ範囲を可変可能なクリップ回路の具体的な構成を図４に示す。図４において、２７，３１，３３は夫々トランジスタであり、２９は抵抗、３５，３７は夫々基準電圧源である。この様な回路構成において基準電圧源３５，３７の電圧Ｅ1 ，Ｅ2 を夫々高レベルとすることにより、クリップ範囲を高レベル側にシフトすることができ、低レベルとすることにより、クリップ範囲を低レベル側にシフトすることができる。
【００３３】
一般に、測光出力が前述した様なレベルより高ければ屋外、即ち太陽光下もしくは曇天下での撮影であると予測でき、高色温度光に照らされていると確率が極めて高いため、この様なクリップレベル範囲の変更は、非常に高い確率でクリップ範囲が高レベル側と低レベル側でほぼ均等とすることができる。従って前述のごとき、高彩度の被写体の影響を効果的に除去することができる。
【００３４】
一方、ステップＳ４においてＬD ＞Ｌ0 でなければ、ステップＳ６に進み、外光が室内光であると推測し、クリップ範囲を低色温度対応とする。具体的には図３（１）の（ハ）に示す様にＲ−Ｙ信号についてはクリップ範囲を低レベル側にシフトし、図３（２）の（ハ）に示す様にＢ−Ｙ信号についてはクリップ範囲を高レベル側にシフトする。これによって、同様にクリップ範囲が高レベル側と低レベル側でほぼ均等とすることができ、高彩度の被写体の影響を効果的に除去できる。
【００３５】
ステップＳ５もしくはステップＳ６において、クリップ範囲が決定した後、ステップＳ７において、Ａ／Ｄ変換器１７からのデジタル値ＹD ，（Ｒ−Ｙ）D ，（Ｂ−Ｙ）D が読み込まれ、これらの値からマトリクス演算によりＲ，Ｇ，Ｂ各信号の値を導出する。
【００３６】
そして、ステップＳ８において、Ｒアンプ７の制御値であるＲCDをａ・Ｒ／Ｇ＋ｂの式にて求め、同様にＢアンプ９の制御値であるＢCDをｃ・Ｂ／Ｇ＋ｄの式により求める。こうして得られたデジタル値ＲCD，ＢCDはステップＳ９においてＤ／Ａ変換器２５に出力され、アナログの制御電圧ＲC ，ＢC に変換され、Ｒアンプ７，Ｂアンプ９の利得が制御されホワイトバラン制御が行われる。
【００３７】
この様な処理は、電源スイッチＰＳＷがオフされるまで繰り返し行われ、電源スイッチＰＳＷがオフされると（ステップＳ１０）処理を終了する。
【００３８】
以上説明した様に、本発明の第１の実施例の撮像装置においては、外光の明るさに応じてＰ−Ｐクリップ回路１３による各色差信号Ｒ−Ｙ，Ｂ−Ｙのクリップ範囲を変更することにより、様々な環境下においてホワイトバランス制御に与える高彩度の被写体の影響を効果的に除去できる。
【００３９】
尚、上述の実施例においてはある明るさを境に２つのクリップ範囲を切り換える構成としたが、３以上のクリップ範囲を設定しこれらを選択する構成とし、クリップ範囲の変更点近傍における急激な色の変化を回避する構成とすることも可能である。また、同様にクリップ範囲の変更を徐々に所定の時定数をもたせて行うことも可能である。
【００４０】
（第２の実施例）
次の本発明の第２の実施例について説明する。本実施例の撮像装置の構成自体は上記第１の実施例と同様に図１に示す通りであり、詳細な説明は省略する。
【００４１】
図５は本実施例におけるＭＰＵ１９の動作を示すフローチャートであり、以下このフローチャートを用いて動作の説明を行う。図５のフローチャートにおいて、図２と同様のステップについては同一の符号を付す。
【００４２】
本実施例においては電源スイッチＰＳＷがオンされた後、装置を立ち上げるとと共に読み込む初期値としては、第１の実施例にて説明したＬ0 ，ａ，ｂ，ｃ，ｄ以外に、後述の測光出力の読み込み回数を示す定数ｍ、及びフリッカの有無を検出するための基準値Ｆ0 を読み込む（ステップＳ１１）。
【００４３】
次にステップＳ１２において変数ｎに１を置数し、ステップＳ３で測光出力であるデジタル値ＬD が読み込まれると、ステップＳ１４においてこのデジタル値ＬD をＬn に置数する。そして、ステップＳ１５にてｎとｍとを比較し、ｎ＝ｍでなければｎをｎ＋１として（ステップＳ１３）ステップＳ３に戻り、上記動作を繰り返す。
【００４４】
そして、ステップＳ１５にてｎ＝ｍと判断された時点では、Ｌ1 〜Ｌm に互いに時間差を有する測光出力であるデジタル値が置数された状態となる。ここで、ステップＳ１６においてＬ1 〜Ｌm 中の最大値ＬMAX と最小値ＬMIN を抽出し、更にＬ1 〜Ｌm の平均値ＬAVE を算出する。そして、これらの値から更にＬMAX ＋ＬMIN をフリッカ量を示す値ＬF として算出する。
【００４５】
次に、ステップＳ１８においてはＬAVE をＬ0 と比較する。このステップＳ１８は前述第１の実施例のステップＳ４と同様の意味を持ち、ＬAVE ＞Ｌ0 の場合においては第１の実施例と同様にステップＳ５においてＰ−Ｐクリップ回路１３のクリップ範囲を高色温度対応とする。
【００４６】
一方、ステップＳ１８においてＬAVE ＞Ｌ0 ではないと判定された場合にはステップＳ１９に進み、フリッカ量を示す値ＬF を基準値Ｆ0 と比較する。ここで、ＬF ＞Ｆ0 でない場合にはフリッカが存在しないと判断し、ステップＳ６に進みＰ−Ｐクリップ回路１３のクリップ範囲を第１の実施例と同様に低色温度対応とする。
【００４７】
また、ステップＳ１９においてＬF ＞Ｆ0 と判定された場合にはフリッカが存在すると判断し、この場合には光源が蛍光灯であると推定してＰ−Ｐクリップ回路１３のクリップ範囲を蛍光灯対応とする。具体的には、蛍光灯を光源とした場合似の被写体光の特性に応じて、図３（１）（２）の（ニ）に示すようにＲ−Ｙ，Ｂ−Ｙともクリップレベルを低レベル側にシフトする。これは蛍光灯の光が他の黒体放射近似光に比べ緑がかっているためである。
【００４８】
ステップＳ７以降のホワイトバランス制御電圧の演算については第１の実施例と同様であり、ステップＳ９においてホワイトバランス制御のためのデジタル値ＲCD、ＢCDが出力される。
【００４９】
上述の実施例によれば、第１の実施例の効果に加え、外光が明るくない場合には屋内での撮影であると判断した上で、フリッカの有無を検出してこの屋内撮影時の光源が蛍光灯であるかそれ以外の光源であるかを検出し、比較的頻度の高い蛍光灯下の撮影においてもＰ−Ｐクリップ回路１３による各色差信号Ｒ−Ｙ，Ｂ−Ｙのクリップ範囲を高レベル側と低レベル側が均一にクリップされるように変更することができ、更に、様々な環境に対応可能となり、ホワイトバランス制御に高彩度の被写体の影響を与える可能性を更に低くできる。
【００５０】
尚、上記第２の実施例においては、外交の明るさが低く、かつ、フリッカの存在が検出された時にのみ光源が蛍光灯であると推定したが、蛍光灯以外の屋内撮影の機会は少ないと考えられるのでフリッカの検出のみで、クリップ範囲を高色温度対応とするか蛍光灯対応とするかで切り換える構成とすることも当然可能である。
【００５１】
（第３の実施例）
次の本発明の第３の実施例について説明する。本実施例の撮像装置の構成も上記第１の実施例と同様であり、図６は本実施例におけるＭＰＵ１９の動作を示すフローチャートである。図６のフローチャートにおいて、図２と同様のステップについては同一の符号を付す。
【００５２】
本実施例の撮像装置は前述の第１の実施例の撮像装置と同様に、ステップＳ４において外光がある明るさより明るいか暗いかを判定し、明るい場合にはＰ−Ｐクリップ回路１３のクリップ範囲を高色温度対応にするのであるが、この時第１の実施例とはホワイトバランス制御値ＲCD及びＢCDの算出方法を変える。
【００５３】
即ち、本実施例においては電源スイッチＰＳＷがオンされた直後の初期値読み込み過程（ステップＳ２１）において前述のａ，ｂ，ｃ，ｄ以外に、ホワイトバランス制御電圧導出時の演算式に用いる値としてｅ，ｆ，ｇ，ｈを読み込み、ステップＳ４において外光がある明るさより明るいと判断された場合には、ステップＳ５においてＰ−Ｐクリップ回路１３のクリップ範囲を高色温度対応にし、ステップＳ２２ではＹD ，（Ｒ−Ｙ）D ，（Ｂ−Ｙ）D から、Ｒ，Ｂをそれぞれ導出する。ここで、この導出は、例えばＲ＝ＹD ＋（Ｒ−Ｙ）D ，Ｂ＝ＹD ＋（Ｂ−Ｙ）D とすればよい。
【００５４】
更に、ステップＳ２３においてはこのＲ，Ｂを用いて、Ｒアンプ７の制御値であるＲCDをｅ・Ｒ／Ｂ＋ｆの式にて求め、同様にＢアンプ９の制御値であるＢCDをｇ・Ｒ／Ｂ＋ｈの式により求める。このようにＲ，Ｂのみを用いてホワイトバランス制御を行うと、色の補正方向は黒体放射光の色温度変化方向のみとなる。そのため、ホワイトバランスの制御に因する色温度変化に対応しない色ずれ、即ち緑色化、紫色化などの目障りな色ずれの発生が防止できる。
【００５５】
一方、ステップＳ４において外光がある明るさより明るくないと判断された場合には、ステップＳ６においてＰ−Ｐクリップ回路１３のクリップ範囲を低色温度対応にし、ステップＳ７，Ｓ８において第１の実施例と同様の手法でホワイトバランス制御値であるＲCD，ＢCDを算出する。この算出法は、前述の様にＲCDをａ・Ｒ／Ｇ＋ｂの式にて求め、ＢCDをｃ・Ｂ／Ｇ＋ｄの式により求めるので色温度変化方向以外の方向についても色補正が可能である。
【００５６】
即ち、外光が暗い場合には蛍光灯等の様々な光源下の撮影が考えられ、この光源光の色の変化、例えば蛍光灯の場合には緑がかった色に対応したホワイトバランスの制御を行う必要があり、上述の如く色温度変化方向以外の方向についても色補正を行う必要があるが、外光が明るい場合には光源光をほぼ太陽光であると推定でき、この場合には色温度変化方向以外の方向についての色補正は殆ど必要がなく、むしろ前述した被写体の影響による目障りな色ずれが発生することが問題となる。
【００５７】
従って、本実施例によれば蛍光灯下の撮影においても良好にホワイトバランスの補正ができ、且、屋外の撮影に際しては目障りな色ずれの発生を防止することができる。
【００５８】
尚、本実施例においては外光がある明るさにより、Ｐ−Ｐクリップ回路１３のクリップ範囲を変更しているが、このクリップレベルの変更を行わなくとも蛍光灯下の撮影においても良好にホワイトバランスの補正ができ、且、屋外の撮影に際しては目障りな色ずれの発生を防止するという効果は得られる。
【００５９】
また、上述の実施例においてはある明るさを境にホワイトバランスの制御値の演算方法を切り換えたが、急激な色の変化を回避するため、制御値の変更を徐々に所定の時定数をもたせて行うことも可能である。
【００６０】
（第４の実施例）
次の本発明の第３の実施例について説明する。本実施例の撮像装置の構成も上記第１の実施例と同様であり、図７は本実施例におけるＭＰＵ１９の動作を示すフローチャートである。図７のフローチャートにおいて、図２，図５，図６と同様のステップについては同一の符号を付す。
【００６１】
本実施例では外光の明るさを上述第２の実施例と同様の手法にてＬAVE を算出することにより判定し、また、ＬF （＝ＬMAX −ＬMIN ）からフリッカの有無を判定する。本実施例においても、上記第２の実施例と同様に、Ｐ−Ｐクリップ回路１３のクリップ範囲を高色温度対応、低色温度対応、更には蛍光灯対応の３つで選択する。
【００６２】
また、ステップＳ１９にてフリッカの検出がなされた場合にのみ、ＲCD，ＢCDをａ・Ｒ／Ｇ＋ｂ，ｃ・Ｂ／Ｇ＋ｄの式にて求めて色温度変化方向以外の方向についての色補正を行い得る様にし、他の場合にはＲCD，ＢCDをｅ・Ｒ／Ｂ＋ｆ，ｇ・Ｒ／Ｂ＋ｈの式により求め色温度変化方向以外の方向についての色補正を行わない様にしている。このように構成することによって、より正確に色温度変化方向以外の方向についての色補正の必要性を判定することができ、より多くの機会において色温度変化方向以外の無用な色補正による色ずれの発生を防止することができる。
【００６３】
尚、上記各実施例においては測光センサ２１を用いて外光の明るさを測定していたが、撮影入社光量をけ決定する絞りの値やシャッター速度から該光量を判定しこれを測光出力とすることも可能であり、この場合には測光センサーを別途設けなくても本発明を実現することができる。
【００６４】
また、上記各実施例の手法は、撮像装置としてはムービーカメラ、電子スチルカメラいずれに対しても適用可能なものであるが、電子スチルカメラに適用する場合には、本出願人が先に出願した特願平１−２５５５０７号に開示の様に、静止画撮影時（本露光時）のホワイトバランス制御を静止画撮影に先立つ露光時（プリ露光時）に行うものとし、上記測光からホワイトバランス制御値算出に至るステップを上記プリ露光時に行う様にすればよい。
【００６５】
【発明の効果】
以上説明した様に本発明の撮像装置によれば、撮像装置にて測定される外光の明るさに応じてクリップ回路のクリップ範囲を変更することにより、外光の明るさにより色温度の変化に従ったクリップ範囲の変更ができ、複数種の色温度に対応して色信号を適正にクリップすることができるので、色温度にかかわらず高彩度の被写体の影響を受けないホワイトバランス制御が可能となる。
【図面の簡単な説明】
【図１】本発明の実施例の撮像装置の構成を示すブロック図である。
【図２】本発明の第１の実施例の撮像装置の動作を説明するためのフローチャートである。
【図３】本発明の実施例の撮像装置によるクリップ範囲の変更動作を説明するための波形図である。
【図４】図１中のＰ−Ｐクリップ回路の具体的な構成を示す図である。
【図５】本発明の第２の実施例の撮像装置の動作を説明するためのフローチャートである。
【図６】本発明の第３の実施例の撮像装置の動作を説明するためのフローチャートである。
【図７】本発明の第４の実施例の撮像装置の動作を説明するためのフローチャートである。
【図８】クリップ範囲の不均一を説明するための波形図である。
【符号の説明】
１  光学系
３  撮像素子
５  色分離回路
７，９  可変利得アンプ
８ａ，８ｂ  クランプ回路
９ａ，９ｂ  クリップ回路
１１  プロセス回路
１３  クリップ回路
１５  積分回路
１７，２３  アナログ−デジタル（Ａ／Ｄ）変換器
１９  マイクロプロセッシングユニット（ＭＰＵ）
２１  測光センサ
２５  デジタル−アナログ（Ｄ／Ａ）変換器
ＰＳＷ  電源スイッチ
【図１】
0003666881.tif 000002
【図２】
0003666881.tif 000003
【図３】
0003666881.tif 000004
【図４】
0003666881.tif 000005
【図５】
0003666881.tif 000006
【図６】
0003666881.tif 000007
【図７】
0003666881.tif 000008
【図８】
0003666881.tif 000009